(57)【要約】【課題】本発明は、特急電車などの荷棚に取り付けられた空気清浄機の内部を略完全に清掃できると共に、清掃作業の能率が向上し、また、空気清浄機内の塵埃などの汚れ成分が清掃時に外部に拡散するのを抑制できる清掃装置の提供を課題とする。【解決手段】本発明の清掃装置１は、空気取入口３１を有する箱体３２と、この箱体３２内に取り付けられたファン３３とを備えた空気清浄機３を清掃するものである。この清掃装置１は、上記空気取入口３１に気密に係止されるケース１１と、このケース１１に形成され空気取入口３１に連続する開口１２と、ケース１１内に圧力空気吹き付け用の空気ノズル１３を挿入するノズル挿入部１４と、ケース１１内の空気をケース１１外に排出する排気口１５とを備えている。そして、ノズル挿入部１４は、ケース１１の側面に沿って略隙間なく並べられた複数の弾性部材である帯状のゴム２０で構成されている。【選択図】  図１
2004322032.tif 000002
【特許請求の範囲】
【請求項１】
空気取入口を有する箱体と、前記箱体内に取り付けられたファンとを備えた空気清浄機を清掃する装置であって、
前記空気取入口に気密に係止されるケースと、
前記ケースに形成され前記空気取入口に連続する開口と、
前記ケース内に圧力空気吹き付け用の空気ノズルを挿入するノズル挿入部と、
前記ケース内の空気を前記ケース外に排出する排気口とを備え、
前記ノズル挿入部は、前記ケースの側面に沿って略隙間なく並べられた複数の弾性部材で構成されていることを特徴とする空気清浄機の清掃装置。
【請求項２】
前記ケースに形成された透明な窓を有することを特徴とする請求項１に記載の空気清浄機の清掃装置。
【請求項３】
前記弾性部材は帯状のゴムであることを特徴とする請求項１又は２に記載の空気清浄機の清掃装置。
【請求項４】
前記帯状のゴムが二重に積層され、一層目のゴムと二層目のゴムが互いに交差していることを特徴とする請求項３に記載の空気清浄機の清掃装置。
【請求項５】
前記ノズル挿入部が前記ケースの下面に形成されていることを特徴とする請求項１から４の何れかに記載の空気清浄機の清掃装置。
【請求項６】
前記ノズル挿入部が前記空気清浄機に当接する側からその反対側に向かって上方に傾斜していることを特徴とする請求項４に記載の空気清浄機の清掃装置。
【請求項７】
前記窓は前記開口と略正対していることを特徴とする請求項１から６の何れかに記載の空気清浄機の清掃装置。
【請求項８】
前記排気口には、前記ケース内の空気を強制的に排出する空気排出手段が取り付けられていることを特徴とする請求項１から７の何れかに記載の空気清浄機の清掃装置。
【請求項９】
前記空気ノズルと、前記空気ノズルに設けられた照明手段とを有することを特徴とする請求項１から８の何れかに記載の空気清浄機の清掃装置。
【発明の詳細な説明】
【０００１】
【発明の属する技術分野】
本発明は空気清浄機の清掃装置に係り、特に特急電車の荷棚に取り付けられた空気清浄機などを清掃する際に好適な空気清浄機の清掃装置に関する。
【０００２】
【従来の技術】
特急電車の喫煙車両には、その荷棚に取り付けられて空気清浄機が装備されているのが一般的である。空気清浄機は、内部汚れの進展が早い。そのため、空気清浄機の内部に装備されているフィルタを３ヶ月程度の周期で交換すると同時に、内部の清掃を行っている。
【０００３】
従来、空気清浄機の清掃を行う場合、まず刷毛、竹ブラシなどを使って空気清浄機の各部に付いた塵埃や各種の汚れ成分をかき落とす。次に、かき落とされた塵埃や汚れ成分を掃除機で吸引することによって除去していた。
【０００４】
一方、図１６に示すように、集塵装置本体１００内のフィルタ１０１を圧力空気で清掃する集塵装置が提案されている（例えば、特許文献１参照。）。なお、図１６中の符号１０２はファンである。
【０００５】
この集塵装置は、フィルタ１０１を清掃する際に、集塵装置本体１００の集塵室１０３の側壁を構成する壁板を取り外して、代わりに一部が透明な板１０４を取り付ける。この板１０４には、スリット構造又は挿入穴構造（図１６はスリット構造を示す）のノズル挿入部１０５が設けられている。
【０００６】
次に、ノズル１０６の先端をノズル挿入部１０５から集塵室１０３内に挿入し、ノズル１０６から圧力空気を噴出してフィルタ１０１に吹き付ける。これにより、フィルタ１０１に付着している塵埃や、ヒューム、油などの汚れ成分を吹き飛ばす。吹き飛ばされた塵埃などの汚れ成分は、適宜掃除機などで除去する。
【０００７】
【特許文献１】
特開２００２−２８２６３７号公報
【０００８】
【発明が解決しようとする課題】
しかしながら、従来の刷毛、竹ブラシなどを使って空気清浄機内の各部に付いた塵埃や各種の汚れ成分をかき落とし、落とされた塵埃や汚れ成分を掃除機で吸引する清掃方法では、清掃作業の能率が悪いという問題があった。
【０００９】
そこで、図１６に示した集塵装置を空気清浄機に適用して、空気清浄機を圧力空気の吹き付けによって清掃することが考えられる。しかし、この集塵装置は、ノズル挿入部１０５がスリット構造又は穴構造に形成されているので、空気清浄機に適用した場合には、次のような問題が発生する。
【００１０】
すなわち、ノズル挿入部１０５がスリット構造の場合は、清掃中もノズル挿入部１０５全体が開口されている。従って、ノズル１０６からフィルタ１０１に圧力空気を吹き付けたときに、フィルタ１０１などから吹き飛ばされた塵埃などの汚れ成分が、ノズル挿入部１０５から外部に流出して拡散してしまうという問題が発生する。
【００１１】
また、ノズル挿入部１０５が穴構造の場合は、塵埃などの汚れ成分がノズル挿入部１０５から外部に拡散するのを抑制できる。しかしながら、この場合には、ノズル挿入部１０５の面積が小さいため、ノズル１０６の移動可能な範囲が非常に狭くなる。従って、フィルタ１０１の限られた部分しか清掃できない。
【００１２】
この問題は、ノズル挿入部１０５を複数設けることによって解決できるが、今度はノズル１０６を挿入した以外のノズル挿入部１０５から塵埃などの汚れ成分が拡散されてしまう。
【００１３】
使用していないノズル挿入部１０５を閉塞することも考えられるが、この場合は手間がかかるので、作業能率が低下してしまう。
【００１４】
本発明は、このような問題に鑑みてなされたもので、特急電車などの荷棚に取り付けられた空気清浄機の内部を略完全に清掃できると共に、清掃作業の能率が向上し、また、空気清浄機内の塵埃などの汚れ成分が清掃時に外部に拡散するのを抑制できる清掃装置の提供を課題とする。
【００１５】
【課題を解決するための手段】
本発明は、前記課題を解決するため、以下の手段を採用した。
【００１６】
すなわち、本発明は、空気取入口を有する箱体と、前記箱体内に取り付けられたファンとを備えた空気清浄機を清掃する装置であって、前記空気取入口に気密に係止されるケースと、前記ケースに形成され前記空気取入口に連続する開口と、前記ケース内に圧力空気吹き付け用の空気ノズルを挿入するノズル挿入部と、前記ケース内の空気を前記ケース外に排出する排気口とを備え、前記ノズル挿入部は、前記ケースの側面に沿って略隙間なく並列に配置された複数の弾性部材を有することを特徴とする。
【００１７】
本発明では、空気清浄機を清掃する際に、ノズル挿入部からケース内に空気ノズルを挿入するときは、弾性部材の境界に空気ノズルを押し込む。そうすると、押し込んだ空気ノズルの両側の弾性部材が弾性変形し、空気ノズルを押し込んだ部分に隙間ができる。この隙間から、空気ノズルをケース内に容易に挿入できる。
【００１８】
このようにして、空気ノズルをノズル挿入部からケース内に挿入したときには、空気ノズルの近傍の弾性部材のみが変形し、空気ノズルから離れている弾性部材は変形しない。
【００１９】
従って、空気ノズルを挿入した際に弾性部材間に形成される隙間が小さくなるので、清掃中に空気清浄機内の塵埃などが外部に流出して拡散するのを抑制できる。
【００２０】
また、ノズル挿入部を構成する複数の弾性部材間の境界は、ノズル挿入部の略全面に形成される。つまり、ノズル挿入部の略全面から空気ノズルを挿入できる。従って、空気清浄機内の隅々まで圧力空気を吹き付けて清掃できる。
【００２１】
ここで、前記ケースに透明な窓を設けることができる。この窓から空気清浄機内を視認できるので、汚れの進んでる部分を重点的に清掃するなど、清掃を効率的に行うことができる。また、空気清浄機内に未清掃の部分が残るのを防止できる。
【００２２】
前記弾性部材は帯状のゴムで形成するのが好ましい。ゴムはその変形率が大きい。従って、ゴムの間から空気ノズルを挿入するのが更に容易になる。また、空気ノズルの周囲に形成される隙間を更に小さくできる。
【００２３】
また、前記帯状のゴムを二重に積層し、一層目のゴムと二層目のゴムを互いに交差させることができる。
【００２４】
この場合は、ノズル挿入部から空気ノズルを挿入したときに、一層目と二層目のゴムが変形する方向が異なる。従って、各層のゴムの間に形成される隙間が、他の層のゴムによって塞がれるので、空気ノズルの周囲の隙間をより小さくできる。
【００２５】
前記ノズル挿入部は前記ケースの下面に形成するのが好ましい。空気清浄機が棚の上など高所にある場合に、ケースの下面にノズル挿入部があれば、空気ノズルを下側から挿入できるので、作業が容易になる。
【００２６】
更に、前記ノズル挿入部は、空気清浄機に当接する側からその反対側に向かって上方に傾斜するように形成できる。この場合は、清掃装置を挟んで空気清浄機の反対側に清掃作業者が立ったとき、清掃作業者からノズル挿入部が広く見えるので、清掃作業者がノズル挿入部から空気ノズルを挿入するのが容易になる。
【００２７】
また、前記窓は前記開口と略正対する側に形成するのが好ましい。この場合、透明な窓から開口を介して空気清浄機の内側を視認できる。
【００２８】
前記排気口には、前記ケース内の空気を強制的に排出する空気排出手段を設けることができる。この場合は、圧力空気の吹き付けによって空気清浄機の各部から吹き飛ばされた塵埃などの汚れ成分を、空気排出手段によって簡単に排除できる。
【００２９】
空気排出手段としては、通常の掃除機を例示できる。
【００３０】
また、前記空気ノズルに前記空気清浄機内を照明する照明手段を備えることができる。外部の光が空気清浄機内まで届かない場合でも、照明手段によって空気清浄機の内部を照明することにより内部の状況を明確に確認できるので、清掃作業を確実に且つ効率よく行うことができる。
【００３１】
なお、以上述べた各構成要素は、本発明の趣旨を逸脱しない限り、互いに組み合わせることが可能である。
【００３２】
【発明の実施の形態】
以下、本発明の実施の形態を添付した図１から図１５に基づいて説明する。
（第１実施形態）
図１は、本発明に係る第１実施形態の空気清浄機の清掃装置１を示す。ここでは、例えば特急電車の喫煙車両２（図６参照）の荷棚２１に設けられた（荷棚置き式）空気清浄機３を清掃する場合について説明する。
【００３３】
説明の都合上、清掃装置１を説明する前に、空気清浄機３について説明する。この空気清浄機３は、図６に示すように、空気取入口３１有する箱体３２と、この箱体３２内の上部側に取り付けられたファン３３とを備えている。
【００３４】
空気取入口３１には、フィルタ部材（図示せず）が着脱自在に取り付けられている。このフィルタ部材は、空気清浄機３を清掃する際に取り外すことができる。
【００３５】
清掃装置１は、図１に示すように、空気清浄機３（図６参照）の空気取入口３１に気密に取り付けられるケース１１と、このケース１１に形成され上記の空気取入口３１に連続する開口１２と、空気清浄機３内に圧力空気を吹き付ける空気ノズル１３（図６参照）を、ケース１１内に挿入するためのノズル挿入部１４と、ケース１１内の空気をケース１１外に排出する排気口１５とを備えている。
【００３６】
次に、清掃装置１の上記各構成要素について説明する。ケース１１は、変形した六面体の箱状に形成されている。ケース１１の六面１１ａ〜１１ｆのうち、上記開口１２が設けられた面１１ａ（以下、取付面という。）、及びこの取り付け１１ａと正対する面１１ｂ（以下、正対面という。）は、横長の長方形状に形成されている。
【００３７】
上記の取付面１１ａ及び正対面１１ｂの幅Ｗは、略同一である。また、正対面１１ｂの高さＨ２は、取付面１１ａの高さＨ１より小さい。ケース１１の両側面１１ｃ，１１ｄは略台形である。
【００３８】
なお、図１中の符号１１ｅはケース１１の下面（側面）、１１ｆはケース１１の上面（側面）である。
【００３９】
ケース１１の取付面１１ａの上部側には、ケース１１を空気清浄機３に取り付けるための係止部材２２が設けられている。この係止部材２２は、図２に示すように、略Ｌ字状に形成されている。
【００４０】
係止部材２２は、その一辺２２ａがケース１１の上面１１ｅにボルト又は溶接、本例ではボルトで固定されている。係止部材２２のもう一方の辺２２ｂは、下向きの状態でケース１１の取付面１１ａから突出している。
【００４１】
図１に示すように、ノズル挿入部１４は、ケース１１の側面である下面１１ｆに設けられている。このノズル挿入部１４は、清掃装置１を空気清浄機３に取り付けた場合、取付面１１ａ側から正対面１１ｂ側に向かって上側に傾斜するように形成されている。
【００４２】
また、ノズル挿入部１４は、図３に示すように、ケース１１の下面１１ｆに沿って並列に配置された複数の弾性部材によって構成されている。この弾性部材は、その変形率が大きいものを使用するのが好ましい。本例では、弾性部材として帯状のゴム板２０を使用しているが、これ以外の各種の弾性部材を使用できる。
【００４３】
ゴム板２０は、図４に示すように、互いに隙間なく、且つ互いに重ることなく、略同一平面上に並列に配置されている。なお、図４中の符号２７は、ゴム板２０，２０間の境界である。
【００４４】
また、ゴム板２０は、図５に示すように、その両端部（一方の端部のみ図示。）がケース１１の枠部分４５とプレート２１で狭持されている。これにより、ゴム板２０がケース１１に固定されている。
【００４５】
図１の排気口１５は、ケース１１の一方の側面１１ｃに設けられている。この排気口１５は、横長の長方形状に形成されている。排気口１５は、その長手方向がケース１１の側面１１ｃの長手方向に沿って配置されている。この排気口１５には、空気吸引用のホース２８を接続するための継手２４が設けられている。
【００４６】
ケース１１の正対面１１ｂ，両側面１１ｃ，１１ｄには、透明な窓１６〜１８が設けられている。また、ケース１１の上面１１ｅにも、透明な窓１９が設けられている（図６参照）。
【００４７】
一方の側面１１ｃの窓１７は、排気口１５より上側の部分に設けられている。この窓１７以外の窓１６，１８，１９は、それぞれ正対面１１ｂ，側面１１ｃ，１１ｄの枠部分４５を除いて略全面を占めている。
【００４８】
次に、図６を参照して、この清掃装置１を用いて空気清浄機３を清掃する方法について説明する。
【００４９】
空気清浄機３を清掃するときには、先ず清掃装置１を空気清浄機３に取り付ける。この場合は、空気清浄機３の開口３１に取り付けられている前蓋（図示せず）を取り外す。
【００５０】
次に、図７に示すように、清掃装置１を空気清浄機３より僅かに高い位置まで持ち上げ、清掃装置１の取付面１１ａを空気清浄機３の前面３ａに当接させる。
【００５１】
この状態で、図８に示すように、清掃装置１を降下させる。そうすると、清掃装置１の係止部材２２が、空気清浄機３の上側に形成されている溝３４に係止される。これにより、清掃装置１が空気清浄機３に取り付けられるが、更に清掃装置１をボルトやクリップなど適宜な固定手段（図示せず）で空気清浄機３に固定することもできる。
【００５２】
次に、図６に示すように、空気ノズル１３をホース２６を介してコンプレッサ４６に接続する。この空気ノズル１３の先端には、照明手段であるランプ４０が取り付けられている。
【００５３】
また、清掃装置１の排気口１５の継手２４に、ホース２８を介して掃除機４７を接続する。
【００５４】
次に、空気ノズル１３の先端をノズル挿入部１４からケース１１内に挿入する。そして、空気ノズル１３の先端を空気清浄機３内の清掃すべき部分、例えばファン３３側に向ける。
【００５５】
空気ノズル１３をノズル挿入部１４から挿入するときは、図９に示すように、空気ノズル１３をゴム板２０，２０の境界２７から内部に差し込む。そうすると、空気ノズル１３の両側のゴム板２０，２０が、空気ノズル１３によって側方に押圧されて弾性変形し、ゴム板２０，２０の間に中央が最も膨らんだ細長い隙間３０が形成される。
【００５６】
この隙間３０は、空気ノズル１３から離れるに従って徐々に小さくなり、空気ノズル１３に比較的近いところで閉じられる。
【００５７】
このようにして、空気ノズル１３をノズル挿入部１４からケース１１内に挿入した後、図６に示すように、空気ノズル１３から圧力空気を噴出させ、空気清浄機３内のファン３３及びその近辺に吹き付ける。
【００５８】
このときには、空気ノズル１３の向きを適宜変えて清掃作業を行う。このように、圧力空気をファン３３及びその近辺に吹き付けることによって、ファン３３及びその近辺に付着していた塵埃、油などの汚れ成分が吹き飛ばされる。
【００５９】
この清掃作業は、ケース１１の窓１６〜１９から空気清浄機３の内部の状況を確認しながら行うことができる。
【００６０】
空気ノズル１３からファン３３などに圧力空気を吹き付けるときには、掃除機４７を駆動する。そうすると、ケース１１内の空気が排気口１５から強制的に排出され、空気清浄機３の各部から吹き飛ばされケース１１内の空気中に散乱した塵埃、油などの汚れ成分が除去される。
【００６１】
ファン３３及びその近傍の清掃が終了した後、空気ノズル１３をゴム板２０，２０間の境界２７に沿って少しずつ横移動させる。そして、空気ノズル１３の向きを変えて清掃すべき部分に圧力空気を吹き付ける。
【００６２】
ゴム板２０，２０間の一個の境界２７を用いて清掃が終了した後、別の境界２７からケース１１内に空気ノズル１３を挿入し、空気清浄機３内の別の部分を清掃する。上記の操作を繰り返し行い、空気清浄機３内を全体的に清掃する。
【００６３】
このように、本発明の清掃装置１は、ノズル挿入部１４が複数の弾性部材、本例では帯状のゴム板２０を並列配置することによって構成され、ゴム板２０，２０間の境界２７からケース１１内に空気ノズル１３を挿入できる。
【００６４】
上記の境界２７は、ノズル挿入部１４の略全面に亘って形成されているので、空気ノズル１３をノズル挿入部１４の略全面から挿入できる。従って、空気ノズル１３の挿入位置を変えることによって、空気清浄機３内の殆どの部分を清掃できる。
【００６５】
また、ノズル挿入部１４から空気ノズル１３を挿入したときには、空気ノズル１３の両側のゴム板２０のみが変形し、空気ノズル１３から離れた部分のゴム板２０は変形しない。
【００６６】
従って、ノズル挿入部１４に空気ノズル１３を挿入した際に形成される隙間２９は、比較的小さくなるので、空気清浄機３内の各部から吹き飛ばされた塵埃などの汚れ成分が、この隙間２９から外部に流出して拡散するのを抑制できる。従って、環境衛生的にも有利となる。
【００６７】
また、ケース１１の取付面１１ａを除いた全ての面１１ｂ〜１１ｆに、透明な窓１６〜１８が設けられているので、これらの窓１６〜１８から空気清浄機３内の汚れの状況を視認できる。
【００６８】
これにより、空気清浄機３内の汚れている部分を確認できるので、この部分を重点的に清掃することによって、清掃終了後に未清掃の部分が残るのを防止できる。また、必要な部分だけ清掃できるので、清掃作業の効率が向上する。
【００６９】
更に、ノズル挿入部１４がケース１１の下面１１ｆに形成されているので、高所に設置されている荷棚置き式の空気清浄機３を清掃する場合には、清掃作業者が清掃装置１の下側からケース１１内に空気ノズル１３を挿入するのに都合がよい。
【００７０】
また、ノズル挿入部１４が、空気清浄機３側の取付面１１ａからその反対側の正対面１１ｂに向かって、上方に傾斜するように形成されているので、清掃装置１より低い位置から空気ノズル１３を挿入するのが容易になる。
【００７１】
更に、空気ノズル１３の先端にランプ４０が取り付けられているので、このランプ４０によって空気清浄機３の内部を照明できる。
【００７２】
従って、外部照明が空気清浄機３の内部まで届かない場合でも、空気清浄機３の内部を視認できる。これにより、空気清浄機３の内部を確実に清掃できる。
（第２実施形態）
図１１は、本発明の第２実施形態のノズル挿入部４４を示す。これ以外の部分は、図１の清掃装置１と同様なのでその詳細な説明を省略する。
【００７３】
このノズル挿入部４４は、帯状のゴム板２０ａ，２０ｂが二層に積層されている。各層におけるゴム板２０ａ、２０ｂは、互いに隙間無く且つ互いに重なることなく、それぞれ略同一面上に並列に配置されている。
【００７４】
なお、図１１中の符号２７ａは、一層目のゴム板２０ａ，２０ａ間の隙間、２７ｂは二層目のゴム板２０ｂ，２０ｂ間の隙間である。
【００７５】
図１２に示すように、一層目のゴム板２０ａと二層目のゴム板２０ｂは、互いに交差している。本例では、一層目のゴム板２０ａと二層目のゴム板２０ｂが略直交している。
【００７６】
このノズル挿入部４４は、図１３に示すように、各層のゴム板２０ａ，２０ａ及び２０ｂ，２０ｂの境界２７ａ．２７ｂから空気ノズル１３を差し込む。
【００７７】
そうすると、各層のゴム板２０ａ，２０ａ間及び２０ｂ，２０ｂ間に、それぞれ中央が最も膨らんだ細長い隙間３０ａ，３０ｂが形成される。これらの隙間３０ａ，３０ｂは、その延びる方向が互いに直交する。
【００７８】
従って、一層目のゴム板２０ａ，２０ａ間の境界２７ａに形成された隙間３０ａのうち、空気ノズル１３が挿入された部分を除いた部分（図１３中の斜線部）が、二層目のゴム板２０ｂ，２０ｂによって塞がれる。
【００７９】
同様に、二層目のゴム板２０ｂ，２０ｂ間の境界２７ｂに形成された隙間３０ｂのうち、空気ノズル１３が挿入された部分を除いた部分が、一層目のゴム板２０ａ，２０ａによって塞がれる。
【００８０】
従って、隙間３０ａ，３０ｂの開口面積が更に小さくなるため、空気清浄機３内から吹き飛ばされた塵埃などの汚れ成分が、外部に拡散するのを更に抑制できる。
【００８１】
（第３実施形態）
図１４は、本発明の第３実施形態の清掃装置５０を示す。この清掃装置５０は、空気清浄機５１の後端部に係止可能な係止部材５２を有している。なお、以下の説明では、上記の清掃装置１と同一の部分には同一の符号を付けて詳細な説明を省略した。
【００８２】
係止部材５２は、清掃装置５０に固定する固定部５２ａと、清掃装置５１の後端部に係止可能な鈎状の係止部分５２ｂとを有している。
【００８３】
この清掃装置５０は、空気清浄機５１の上面側に係止用の溝（図７の溝３４参照。）がない場合に、この空気清浄機５の後端部に係止部材５２を係止させることによって取り付けることができる。
【００８４】
（第４実施形態）
図１５は、本発明に係る第４実施形態の清掃装置５５を示す。この清掃装置５５は、空気清浄機５６に清掃装置５５を取り付けるためのバンド５７を有している。なお、バンド５７は一個又は複数設けることができる。
【００８５】
この清掃装置５は、比較的薄型の空気清浄機５６を清掃する場合や、清掃すべき空気清浄機５６の幅が変わる場合などに好適である。
【００８６】
【発明の効果】
本発明では、空気清浄機の空気取入口を略密閉するケース内に空気ノズルを挿入し、この空気ノズルから噴出される圧力空気によって空気清浄機内の各部を清掃するので、空気ノズルを広い範囲で操作でき、空気清浄機の内部をほぼ完全に清掃できると共に、作業能率が向上する。
【００８７】
また、ケースのノズル挿入部をケースの側面に沿って略隙間なく並列に配置された複数の弾性部材によって構成したので、ノズル挿入部から空気ノズルを挿入したとき、空気ノズルの周囲に形成される隙間が小さくなる。従って、空気清浄機内の各部から吹き飛ばされた塵埃などの汚れ成分が、外部に拡散するのを抑制できる。
【図面の簡単な説明】
【図１】本発明に係る第１実施形態の清掃装置を示す斜視図である。
【図２】本発明に係る第１実施形態の係止部材を示す断面図である。
【図３】図１のＡ矢視図である。
【図４】図３のＢ−Ｂ断面図である。
【図５】図３のＣ−Ｃ断面図である。
【図６】本発明に係る第１実施形態の作用を説明する断面図である。
【図７】本発明に係る第１実施形態の作用を説明する断面図である。
【図８】本発明に係る第１実施形態の作用を説明する断面図である。
【図９】本発明に係る第１実施形態の作用を説明する断面図である。
【図１０】本発明に係る第１実施形態の作用を説明する断面図である。
【図１１】本発明に係る第２実施形態のノズル挿入部を示す底面図である。
【図１２】図１１のＥ−Ｅ断面図である。
【図１３】本発明に係る第２実施形態の作用を説明する断面図である。
【図１４】本発明に係る第３実施形態の清掃装置を示す側面図である。
【図１５】本発明に係る第４実施形態の清掃装置を示す側面図である。
【図１６】従来例に係る集塵装置を示す図である。
【符号の説明】
１  清掃装置
２  喫煙車両
３  空気清浄機
３ａ  前面
１１  ケース
１１ａ  取付面
１１ｂ  正対面
１１ｃ  側面
１１ｄ  側面
１１ｅ  上面（側面）
１１ｆ  下面（側面）
１２  開口
１３  空気ノズル
１４  ノズル挿入部
１５  排気口
１６  窓
１７  窓
１９  窓
２０  ゴム板
２０ａ  ゴム板
２０ｂ  ゴム板
２１  プレート
２２  係止部材
２２ａ  係止部材の一辺
２２ｂ  係止部材の他の一辺
２３  ホース
２４  継手
２６  ホース
２７  境界
２７ａ  境界
２７ｂ  境界
２８  ホース
３０  隙間
３０ａ  隙間
３０ｂ  隙間
３１  空気取入口
３２  箱体
３３  ファン
３４  溝
４０  ランプ
４４  ノズル挿入部
４５  枠部分
４６  コンプレッサ
４７  掃除機
５０  清掃装置
５１  空気清浄機
５２  係止部材
５５  清掃装置
５６  空気清浄機
５７  バンド
１００  集塵装置本体
１０１  フィルタ
１０２  ファン
１０３  集塵室
１０４  板
１０５  ノズル挿入部
１０６  ノズル
【図１】
2004322032.tif 000003
【図２】
2004322032.tif 000004
【図３】
2004322032.tif 000005
【図４】
2004322032.tif 000006
【図５】
2004322032.tif 000007
【図６】
2004322032.tif 000008
【図７】
2004322032.tif 000009
【図８】
2004322032.tif 000010
【図９】
2004322032.tif 000011
【図１０】
2004322032.tif 000012
【図１１】
2004322032.tif 000013
【図１２】
2004322032.tif 000014
【図１３】
2004322032.tif 000015
【図１４】
2004322032.tif 000016
【図１５】
2004322032.tif 000017
【図１６】
2004322032.tif 000018